(57)【要約】【課題】金券の額面金額を手間なく正確に入力できるとともに、金券の種類毎に額面金額別の使用枚数を確実に管理できるようにする。【解決手段】取扱い可能な金券の識別コードにそれぞれ対応して、当該金券識別コードによって識別される金券に存在し得る額面金額別の使用枚数エリア及び使用金額エリアの少なくともいずれか一方を設けた金券集計テーブルを設ける。金券での支払いが宣言されると、取扱い可能な金券のリストを表示部に表示させ、この金券リストの中からいずれか１種類の金券が選択されると、その金券に存在し得る額面金額のリストを表示部に表示させ、この額面金額リストの中からいずれか１種類の額面金額が選択されると、その額面金額を預かり金額として処理するとともに、金券集計テーブルの選択された金券及び額面金額に該当するエリアデータを加算更新する。【選択図】      図７
2006301688.tif 000002
【特許請求の範囲】
【請求項１】
商品販売データが処理された商取引の代金支払いに対して金券宣言手段により金券での支払いが宣言された後、入力手段により前記金券の額面金額が入力されると、この額面金額を預かり金額として処理する商品販売データ処理装置において、
リストを表示可能な表示部と、
この表示部に表示されたリストの項目を選択する項目選択手段と、
取扱い可能な金券の種類毎に設定された金券識別コードにそれぞれ対応して、当該金券識別コードによって識別される金券に存在し得る額面金額別の使用枚数エリア及び使用金額エリアの少なくともいずれか一方を設けた金券集計テーブルと、
前記金券宣言手段により金券での支払いが宣言されると、取扱い可能な金券のリストを前記表示部に表示させる金券リスト表示制御手段と、
前記表示部に表示された金券リストの中から前記項目選択手段によりいずれか１種類の金券が選択されると、その金券に存在し得る額面金額のリストを前記表示部に表示させる額面金額リスト表示制御手段と、
前記表示部に表示された額面金額リストの中から前記項目選択手段によりいずれか１種類の額面金額が選択されると、その額面金額を前記預り金額として処理するとともに、前記金券集計テーブルの選択された金券及び額面金額に該当するエリアデータを加算更新する商品券締め処理手段と、
を具備したことを特徴とする商品販売データ処理装置。
【請求項２】
前記商品券締め処理手段は、前記表示部に表示された額面金額リストの中から前記項目選択手段によりいずれか１種類の額面金額が選択されると、その額面金額が設定された前記金券の画像を前記表示部に表示させる金券画像表示制御手段をさらに備え、
該当する金券の画像を表示させた後、確定操作がなされると、その額面金額を前記預り金額として処理するとともに、前記金券集計テーブルの選択された金券及び額面金額に該当するエリアデータを加算更新することを特徴とする請求項１記載の商品販売データ処理装置。
【請求項３】
前記金券の使用枚数を入力する枚数入力手段をさらに備え、
前記商品券締め処理手段は、前記金券画像表示制御手段により該当する金券の画像を表示させた後、前記枚数入力手段により使用枚数が入力されると、確定操作がなされたものとみなして、その額面金額を前記預り金額として処理するとともに、前記金券集計テーブルの選択された金券及び額面金額に該当するエリアデータを加算更新することを特徴とする請求項２記載の商品販売データ処理装置。
【請求項４】
前記表示部は、タッチパネル付ディスプレイであり、
前記項目選択手段は、前記タッチパネル付ディスプレイの画面タッチ操作位置に表示されている項目が選択されているものとみなす手段であることを特徴とする請求項１乃至３のうちいずれか１項に記載の商品販売データ処理装置。
【発明の詳細な説明】
【技術分野】
【０００１】
本発明は、商品券，ギフト券等の金券による代金支払いに対応した商品販売データ処理装置に関する。
【背景技術】
【０００２】
金券による代金支払いに対応した従来の商品販売データ処理装置は、商取引の代金支払いに使用される金券の種類が指定されるとともに、その金券の額面金額が入力されると、その額面金額を預かり金額として処理していた。また、金券の種類別に使用回数と使用金額を集計して、金券の取扱い実績を管理していた。
【０００３】
このものにおいて、金券に、少なくとも金券取扱宣言識別コード及び当該金券の額面相当金額データとからなるバーコードを付し、このバーコードをスキャナで読取った際に前記金券取扱宣言識別コードを認識すると金券取扱い宣言がなされたものとして、前記額面相当金額データに基づく金額を預かり金額として処理する商品販売データ処理装置が知られていた（例えば、特許文献１参照）。
【特許文献１】特許第２９２２４００号公報
【発明の開示】
【発明が解決しようとする課題】
【０００４】
しかしながら、従来のこの種の商品販売データ処理装置においては、金券の種類毎に使用回数と使用金額を集計することはできたものの、これでは例えば２０００円の支払いに対して額面金額が１０００円の金券２枚で支払った場合と額面金額が５００円の金券４枚で支払った場合とで同じ結果が集計されていたので、支払いに使用された金券の枚数を管理することはできなかった。
【０００５】
また、バーコードを用いて金券の額面金額を入力する方式が採用された商品販売データ処理装置においては、金券にバーコードが付されていない場合には、従来どおり額面金額を置数入力しなければならないという点で不便であった。
【０００６】
本発明はこのような事情に基づいてなされたもので、その目的とするところは、金券の額面金額を手間なく正確に入力できるとともに、金券の種類毎に額面金額別の使用枚数を確実に管理できる商品販売データ処理装置を提供しようとするものである。
【課題を解決するための手段】
【０００７】
本発明は、商品販売データが処理された商取引の代金支払いに対して金券宣言手段により金券での支払いが宣言された後、入力手段により金券の額面金額が入力されると、この額面金額を預かり金額として処理する例えばＰＯＳ（Point Of Sales）端末等の商品販売データ処理装置において、リストを表示可能な表示部と、この表示部に表示されたリストの項目を選択する項目選択手段例えばタッチパネル付ディスプレイとを有する。また、取扱い可能な金券の種類毎に設定された金券識別コードにそれぞれ対応して、当該金券識別コードによって識別される金券に存在し得る額面金額別の使用枚数エリア及び使用金額エリアの少なくともいずれか一方を設けた金券集計テーブルを有する。そして、金券宣言手段により金券での支払いが宣言されると、金券リスト表示制御手段により取扱い可能な金券のリストを表示部に表示させ、この金券リストの中から項目選択手段によりいずれか１種類の金券が選択されると、額面金額リスト表示制御手段によりその金券に存在し得る額面金額のリストを表示部に表示させ、この額面金額リストの中から項目選択手段によりいずれか１種類の額面金額が選択されると、商品券締め処理手段によりその額面金額を預かり金額として処理するとともに、金券集計テーブルの選択された金券及び額面金額に該当するエリアデータを加算更新するようにしたものである。
【発明の効果】
【０００８】
かかる手段を講じた本発明によれば、金券の額面金額を手間なく正確に入力できるとともに、金券の種類毎に額面金額別の使用枚数を確実に管理することができる商品販売データ処理装置を提供できる。
【発明を実施するための最良の形態】
【０００９】
以下、本発明を実施するための最良の形態について、図面を用いて説明する。  
なお、この実施の形態は、商取引の代金を各種の商品券，ギフト券等の金券を用いて支払うことができる商店で利用されるＰＯＳ端末に本発明を適用した場合である。
【００１０】
図１は本実施の形態におけるＰＯＳ端末１の外観構成を示す斜視図である。このＰＯＳ端末１は、筐体１０の前面にキーボード１１とカードリーダ１２とを設けており、上面にオペレータ用表示器１３を設けている。また、客用表示器１４を筐体１０の背面から上方に立設している。さらに、レシートを印字するためのプリンタ１５を筐体１０に内蔵しており、このプリンタ１５によって印字されたレシートをレシート発行口１６から発行するようになっている。また、釣銭用の現金や支払いに使用された各種金券等を保管しておくためのドロワ１７を筐体１０の下部に設けている。
【００１１】
キーボード１１は、図２に示すように、数値データを置数するための置数キー２０の他、ＰＬＵキー２１，クリアキー２２，小計キー２３，金券キー２４，クレジットキー２５，現計キー２６，乗算キー２７，取消キー２８，戻りキー２９等の各種ファンクションキーを配設したものである。金券キー２４は、商取引の代金支払いに金券が用いられることを宣言する金券宣言手段として機能する。
【００１２】
オペレータ用表示器１３は、図３に示すように、１取引で販売登録された商品の商品名，単価，点数及び金額を表示するための登録商品明細エリア３１と、１取引の小計金額，外税額及び税込み合計金額を表示するための取引合計明細エリア３２と、各種メッセージを表示するためのメッセージエリア３３とからなる登録画面３０を表示可能な例えば液晶ディスプレイである。また、登録商品明細エリア３１にタッチパネルセンサ１３２（図４を参照）を設けており、例えば金券による代金支払いが宣言されると複数のタッチキーを表示させて、タッチパネルとして機能するようになっている。
【００１３】
図４はＰＯＳ端末１の内部構成を示すブロック図である。このＰＯＳ端末１は、制御部本体としてＣＰＵ（Central Processing Unit）４０を備えている。また、プログラム等の固定的データが格納されたＲＯＭ（Read Only Memory）４１、各種設定データ，入力データ，処理データ等の可変的データを書換え自在に記憶するためのメモリエリアが形成されたＲＡＭ（Random Access Memory）４２、現在の日付及び時刻を計時するための時計部４３、通信回線を介して接続されるストアコンピュータとのデータ通信を司る通信インターフェイス４４、バーコードを読取るためのスキャナが接続されるスキャナインターフェイス４５、前記ドロワ１７との間で信号を授受するＩ／Ｏポート４６、前記キーボード１１を制御して操作キーに対応したキー信号を取り込むキーボードコントローラ４７、前記オペレータ用表示器１３を構成するディスプレイ１３１とこのディスプレイ１３１の画面に設けられたタッチパネルセンサ１３２を制御するタッチパネルコントローラ４８、前記客用表示器１４の画面表示を制御する表示コントローラ４９、前記プリンタ１５の印字動作を制御するプリンタコントローラ４１０、前記カードリーダ１２を制御するカードリーダコントローラ４１１等を備えている。そしてＣＰＵ４０と、ＲＯＭ４１，ＲＡＭ４２，時計部４３，通信インターフェイス４４，スキャナインターフェイス４５，Ｉ／Ｏポート４６及び各種入出力機器のコントローラ４７，４８，４９，４１０，４１１とを、アドレスバス，データバス等のバスライン４１２で接続している。
【００１４】
かかる構成のＰＯＳ端末１は、特に、図５に示すエリア構成の金券設定テーブル５０と、図６に示すエリア構成の金券集計テーブル６０-1，…，６０-nとを、ＲＡＭ４２に形成している。
【００１５】
金券設定テーブル５０は、前記登録画面３０の登録商品明細エリア３１に表示される複数個（本実施の形態では５行２列の１０個とする）のタッチキーそれぞれの画面上の位置を示す［Ｘ，Ｙ］座標データに対応して、金券コード，金券種別名及び釣銭有無データを記憶したものである。金券コードは、本実施の形態のＰＯＳ端末１を使用する商店で取扱いが可能な各種金券の種類毎に設定された固有のコードであり、金券識別コードとして機能する。金券種別名は、対応する金券コードで特定される金券の名称である。釣銭有無データは、対応する金券コードで特定される金券が釣銭を払い出すことのできる釣銭有りの金券なのか払い出すことのできない釣銭無しの金券なのかを識別するデータである。
【００１６】
金券集計テーブル６０-1，…，６０-nは、金券設定テーブル５０に設定されている金券の種類（ｎ種類）別に、各タッチキーの前記［Ｘ，Ｙ］座標データに対応して、額面金額，券面画像，使用枚数及び使用金額の各データを記憶したものである。額面金額データは、該当する金券に設定された額面金額である。券面画像データは、対応する額面金額が設定された金券の表面画像である。使用枚数データは、対応する額面金額が設定された金券が商取引の代金支払いに使用された枚数である。使用金額データは、対応する額面金額が設定された金券が商取引の代金支払いに使用された枚数分の合計金額である。使用枚数データ及び使用金額データは、例えば１営業日の閉店後に実施される精算業務において精算レポートに印字記録され、ストアコンピュータに伝送された後、“０”にクリアされるようになっている。
【００１７】
しかしてＰＯＳ端末１は、金券キー２４の操作入力に応じて、ＣＰＵ４０が図７の流れ図に示す金券キー処理を実行するように、登録業務プログラムを構成している。すなわちＣＰＵ４０は、キーボードコントローラ４７に入力されるキー信号により金券キー２４の入力を検知すると、この金券キー処理を開始する。
【００１８】
先ず、ＳＴ（ステップ）１として請求金額データが０円より大きいか否かを判断する。請求金額データは、１商取引として販売登録された各商品の合計金額若しくはこの合計金額から既に支払い処理された預かり金額分を減額した金額のデータであり、ＲＡＭ４２のワークエリアで記憶保持されている。ＳＴ１にて請求金額データが０円の場合には、支払うべく代金が存在しないので、金券キー２４の操作をエラーとする。
【００１９】
ＳＴ１にて請求金額データが０円より大きい場合には、金券での支払いが宣言されたので、ＣＰＵ４０は、ＳＴ２として、金券設定テーブル５０に設定されているタッチキー座標データと金種種別名データとに基づき、図８に示す如く、複数のタッチキーにそれぞれ金券種別名を表示させた金券種類リスト画面の画像データを作成し、この画像データを登録画面３０の登録商品明細エリア３１に表示させる（金券リスト表示制御手段）。そして、ＳＴ３としていずれか１つの金券種類が選択されるのを待機する。
【００２０】
ここで、タッチパネルコントローラ４８に入力されるタッチパネルセンサ１３２の信号により、金券種類リスト画面の複数のタッチキーのうちいずれか１つのタッチキーが操作されたことを検知すると（項目選択手段）、ＣＰＵ４０は、そのタッチキーの［Ｘ，Ｙ］座標データに対応して金券設定テーブル５０に設定されている金券コードの金券が選択されたと認識する。代金支払いに使用される金券の種類を認識すると、ＣＰＵ４０は、ＳＴ４として当該金券コードによって特定される金券の釣銭有無データを調べる。そして［釣銭有り］の場合には、ＳＴ５としてＲＡＭ４２に記憶されている釣銭フラグを“１”にセットする。［釣銭無し］の場合には、ＳＴ６として同釣銭フラグを“０”にリセットする。
【００２１】
次にＣＰＵ４０は、ＳＴ７として選択された金券コードに属する金券集計テーブル６０-i(1≦ｉ≦ｎ)のタッチキー座標データと額面金額データとに基づき、図９に示す如く、複数のタッチキーにそれぞれ額面金額を表示させた額面金額リスト画面の画像データを作成し、この画像データを登録画面３０の登録商品明細エリア３１に表示させる（額面金額リスト表示制御手段）。そして、ＳＴ８としていずれか１つの額面金額Ｍが選択されるのを待機する。
【００２２】
ここで、タッチパネルコントローラ４８に入力されるタッチパネルセンサ１３２の信号により、額面金額リスト画面の複数のタッチキーのうちいずれか１つのタッチキーが操作されたことを検知すると（項目選択手段）、ＣＰＵ４０は、そのタッチキーの［Ｘ，Ｙ］座標データに対応して該当金券集計テーブル６０-iに設定されている額面金額が選択されたと認識する。そしてＣＰＵ４０は、ＳＴ９として該当金券集計テーブル６０-iから選択された額面金額データに対応する券面画像データを読出し、図１０に示す如く、この券面画像データを登録画面３０の登録商品明細エリア３１に表示させる（金券画像表示制御手段）。そして、ＳＴ１０として当該金券の使用枚数データが入力されるのを待機する。
【００２３】
ここで、キーボードコントローラ４７に入力された信号により置数キー２０と乗算キー２７とにより乗数が入力されたことを検知すると（枚数入力手段）、確定操作がなされたので、ＣＰＵ４０は、この乗数を使用枚数Ｎとして取得する。そして、ＳＴ１１として額面金額Ｍに使用枚数Ｎを乗算して当該金券による支払金額Ｐを算出したならば、ＳＴ１２として該当金券集計テーブル６０-iの額面金額Ｍデータに対応する使用枚数エリアに使用枚数Ｎを、使用金額エリアに支払金額Ｐをそれぞれ加算する（商品券締め処理手段）。
【００２４】
しかる後、ＣＰＵ４０は、ＳＴ１３として支払金額Ｐから請求金額を減算して差Ｑを算出する。そして、ＳＴ１４として差Ｑが負の値であるか否かを判断する。ここで、差Ｑが負の値である場合には、請求金額に対する支払いがまだ残っているので、ＣＰＵ４０は、ＳＴ１５として請求金額から支払金額Ｐを減算して請求金額の残額を算出する。そして、この残額に対する他の金券あるいは他の支払方法による処理に移行する。
【００２５】
これに対し、ＳＴ１４にて差Ｑが０または正の値である場合には、請求金額に対する支払いが完了したので、ＣＰＵ４０は、ＳＴ１６として釣銭フラグを調べる。ここで、釣銭フラグが“１”にセットされていた場合には、釣銭払出しが設定された金券による支払いなので、ＣＰＵ４０は、ＳＴ１７として支払金額Ｐから請求金額を減算して釣銭額を算出する。そして、ＳＴ１８としてこの釣銭額を登録画面３０の取引合計明細エリア３２と客用表示器１４とに表示させる。ＳＴ１６にて釣銭フラグが“０”にセットされていた場合には、釣銭払出しが設定されていない金券による支払いなので、ＣＰＵ４０は、ＳＴ１７，ＳＴ１８の処理を実行しない。
【００２６】
その後，ＣＰＵ４０は、ＳＴ１９としてドロワ１７に駆動信号を送出してドロワ１７を開放させる。また、プリンタ１５の駆動を制御して、レシートを印字発行させる。以上で、今回の金券キー処理を終了するものとなっている。
【００２７】
なお、ＳＴ３，ＳＴ８及びＳＴ１０の入力待ち状態において、取消キー２８が入力された場合にはその時点で金券キー処理を終了し、金券キー２４が入力される前の状態に戻るものとなっている。
【００２８】
このように構成された本実施の形態のＰＯＳ端末１を操作して客が買上げる商品の販売データを登録したキャッシャは、客から代金の少なくとも一部を商品券，ギフト券等の金券を用いて支払う旨の申し出を受けたならば、金券キー２４を操作する。そうすると、図８に示すように、オペレータ用表示器１３に表示されている登録画面３０の登録商品明細エリア３１に、金券種類リスト画面が表示される。この金券種類リスト画面の内容により、キャッシャは、当該商店で取り扱うことができる金券の種類を容易に知ることができる。そこでキャッシャは、客から申し出を受けた金券が当該商店で取り扱えるものであるか否かを判断し、取り扱えない場合には取消キー２８を操作して、客に他の方法による支払いを求める。
【００２９】
一方、客から申し出を受けた金券が当該商店で取り扱えるものであった場合には、キャッシャは、その金券を預かるとともに、金券種類リスト画面のなかから該当する金券種別名が表示されたタッチキーを選択してタッチ操作する。例えば、金券Ａを客から預かったとすると、キャッシャは、金券種類リスト画面のなかからタッチキーＫ１をタッチ操作する。
【００３０】
金券種類リスト画面のなかから金券種別名が表示されたいずれか１つのタッチキーが選択操作されると、登録商品明細エリア３１の画面が金券種類リスト画面から額面金額リスト画面に変更される。例えば、客から預かった金券Ａには額面金額として５００円，１０００円，５０００円，１００００円の４種類が存在するものとすると、図９に示すように、各額面金額がそれぞれ割り当てられた額面金額リスト画面が表示される。
【００３１】
額面金額リスト画面が表示されると、キャッシャは、客から預かった金券の額面金額が表示されたタッチキーを選択してタッチ操作する。今、客から額面金額１０００円の金券Ａを１０枚預かったとする。この場合、キャッシャは、図９に示されている額面金額リスト画面のなかからタッチキーＫ２をタッチ操作する。
【００３２】
そうすると、図１０に示すように、登録商品明細エリア３１に額面金額１０００円の金券Ａの表面画像が表示される。そこでキャッシャは、客から預かった金券の表面と表面画像とを照らし合わせて一致するかどうかを確認する。そして一致する場合には、額面金額１０００円の金券Ａの預かり枚数「１０」を置数キー２０により置数し、乗算キー２７を操作する。そうすると、金券Ａに対する金券集計テーブル６０-1の額面金額１０００円に対応する使用枚数エリアにデータ「１０」が加算され、使用金額エリアにデータ「１００００」が加算される。
【００３３】
ここで、請求金額が１００００円であった場合には、額面金額１０００円の金券Ａによる支払金額１００００円が請求金額と等しいので、支払いが完了する。そして、ドロワ１７がオープンするとともに、レシートが印字発行される。
【００３４】
これに対し、請求金額が１００００円未満の場合には、釣銭が発生する。ここで、金券Ａに対して釣銭有りが設定されていた場合には釣銭演算が行われて釣銭額が表示されるが、釣銭無しが設定されていた場合には釣銭額は表示されない。そこでキャッシャは、釣銭額が表示された場合にはドロワ１７から釣銭を揃えて客に渡す。
【００３５】
また、請求金額が１００００円を超える場合あるいは額面金額１０００円の金券Ａによる支払金額が１００００円に満たない場合には、不足額が発生する。この場合には、不足額が表示されるので、キャッシャは、不足額に対して他の金券あるいは他の支払方法による支払いを客に求めることとなる。
【００３６】
例えば上記例において、客が請求金額１００００円に対して額面金額が５０００円の金券Ａを１枚と額面金額１０００円の金券Ｂを５枚で支払ったとする。この場合には、キャッシャは、先ず、金券キー２４を操作する。次に、金券種類リスト画面のなかから金券Ａに該当したタッチキーＫ１をタッチ操作する。次に、額面金額リスト画面の中から額面金額５０００円に該当したタッチキーＫ３をタッチ操作する。次に、置数キー２０にて「１」を置数した後、乗算キー２７を入力する。
【００３７】
そうすると、請求金額の残額として５０００円が表示されるので、キャッシャは、再度金券キー２４を操作する。次に、金券種類リスト画面のなかから金券Ｂに該当したタッチキーＫ２をタッチ操作する。次に、額面金額リスト画面の中から額面金額１０００円に該当したタッチキーＫ２をタッチ操作する。最後に、置数キー２０にて「５」を置数した後、乗算キー２７を入力する。
【００３８】
こうすることにより、金券Ａに対する金券集計テーブル６０-1の額面金額５０００円に対応する使用枚数エリアにデータ「１」が加算され、使用金額エリアにデータ「５０００」が加算される。また、金券Ｂに対する金券集計テーブル６０-2の額面金額１０００円に対応する使用枚数エリアにデータ「５」が加算され、使用金額エリアにデータ「５０００」が加算される。なお、上記例において、先に金券Ｂを選択し、後から金券Ａを選択してもよい。
【００３９】
このように本実施の形態のＰＯＳ端末１は、取扱い可能な金券の種類毎に設定された金券コードにそれぞれ対応して、当該金券コードによって識別される金券に存在し得る額面金額別の使用枚数エリア及び使用金額エリアを設けた金券集計テーブル６０-1〜６０-nを有している。そして、金券キーにより金券での支払いが宣言されると、取扱い可能な金券のリストをオペレータ用表示器１３に表示させ、このリストの中からいずれか１種類の金券が選択されると、その金券に存在し得る額面金額のリストをオペレータ用表示器１３に表示させる。そして、いずれか１種類の額面金額が選択されると、その額面金額を預かり金額として処理するとともに、金券集計テーブル６０-1〜６０-nの選択された金券及び額面金額に該当するエリアデータを加算更新するようになっている。
【００４０】
したがって、金券集計テーブル６０-1〜６０-nの額面金額別使用枚数エリアで集計されたデータにより、金券の種類毎に額面金額別の使用枚数を確実に管理できるようになる。
【００４１】
また、金券キー２４を操作して金券での支払いを宣言すると、取扱い可能な金券のリストが表示される。したがって、キャッシャは、自店舗において取扱が可能な金券と取扱が不可能な金券とを記憶している必要はない。同様に、金券リストの中からいずれか１種類の金券を選択すると、その金券に存在し得る額面金額のリストが表示される。したがって、金券毎に存在し得る額面金額を記憶している必要もない。しかも、額面金額リストの中から客から預かった金券の額面金額が表示されたタッチキーを操作すれば額面金額が入力されたことになるので、金券に額面相当金額データを含むバーコードが付されていなくとも額面金額を手間なく正確に入力できる効果を奏する。
【００４２】
また、本実施の形態では、額面金額リストの中から客から預かった金券の額面金額が表示されたタッチキーを操作すると、その額面金額の金券表面画像がオペレータ用表示器１３に表示される。したがって、客から預かった金券の表面とオペレータ用表示器１３に表示された金券表面画像とを照合することによって、偽造された金券かどうかを容易に判別できる効果も奏し得る。
【００４３】
なお、この発明は前記実施形態そのままに限定されるものではなく、実施段階ではその要旨を逸脱しない範囲で構成要素を変形して具体化できる。
【００４４】
例えば前記実施の形態では、金券集計テーブル６０-1〜６０-nに額面金額別の使用枚数エリア及び使用金額エリアを設けたが、使用枚数エリアの値に対応する額面金額を乗算することによって使用枚数分の使用金額を算出できるので、使用金額エリアを省略してもよい。また逆に、使用金額エリアの値を対応する額面金額で除算することによって使用枚数を算出できるので、使用枚数エリアを省略することも可能である。
【００４５】
また、前記実施の形態では、オペレータ用表示器１３をタッチパネル構造としたが、タッチパネル構造とせず、例えばキーボード１１のいずれかのキー操作によって金券リストあるいは額面金額リストの中からいずれか１つの項目を選択できるように構成してもよい。
【００４６】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００４７】
【図１】本発明の一実施の形態であるＰＯＳ端末の外観構成を示す斜視図。
【図２】同ＰＯＳ端末のキーボードに配置される主要なキーを示す模式図。
【図３】同ＰＯＳ端末のオペレータ用表示器に表示される登録画面のエリア構成を示す模式図。
【図４】同ＰＯＳ端末の内部構成を示すブロック図。
【図５】同ＰＯＳ端末のＲＡＭで記憶する金券設定テーブルのデータ構造を示す模式図。
【図６】同ＰＯＳ端末のＲＡＭで記憶する金券集計テーブルのデータ構造を示す模式図。
【図７】同ＰＯＳ端末のＣＰＵが実行する金券キー処理の要部手順を示す流れ図。
【図８】同ＰＯＳ端末のオペレータ用表示器に表示される登録画面において金券リストが表示された状態の一例を示す模式図。
【図９】同ＰＯＳ端末のオペレータ用表示器に表示される登録画面において額面金額リストが表示された状態の一例を示す模式図。
【図１０】同ＰＯＳ端末のオペレータ用表示器に表示される登録画面において金券表面画像が表示された状態の一例を示す模式図。
【符号の説明】
【００４８】
１…ＰＯＳ端末、１１…キーボード、１３…オペレータ用表示器、１５…プリンタ、２４…金券キー、３０…登録画面、４０…ＣＰＵ、５０…金券設定テーブル、６０-1〜６０-n…金券集計テーブル。
【図１】
2006301688.tif 000003
【図２】
2006301688.tif 000004
【図３】
2006301688.tif 000005
【図４】
2006301688.tif 000006
【図５】
2006301688.tif 000007
【図６】
2006301688.tif 000008
【図７】
2006301688.tif 000009
【図８】
2006301688.tif 000010
【図９】
2006301688.tif 000011
【図１０】
2006301688.tif 000012